(57)【要約】【課題】必要スペースやコストに大きな負荷をかけることなく、リード溝またはカム溝に対し従動部材として用いられるコロとリード溝またはカム溝とのガタ量を高精度に調整することが可能となる長円コロ、及び該長円コロを用いたレンズ鏡筒、光学機器を提供する。【解決手段】リード溝またはカム溝に対し従動部材として用いられる長円形状の外形を有する長円コロであって、前記長円コロは、該長円コロを保持手段に固定保持するための固定嵌合部と、前記リード溝またはカム溝と嵌合するための摺動嵌合部とを備え、該摺動嵌合部が該固定嵌合部と同一の中心軸を有する構成とする。【選択図】　　　　　　図３
2004045914.tif 000002
【特許請求の範囲】
【請求項１】
リード溝またはカム溝に対し従動部材として用いられる長円形状の外形を有する長円コロであって、
前記長円コロは、該長円コロを保持手段に固定保持するための固定嵌合部と、前記リード溝またはカム溝と嵌合するための摺動嵌合部とを備え、該摺動嵌合部が該固定嵌合部と同一の中心軸を有することを特徴とする長円コロ。
【請求項２】
前記長円コロは、回転操作を行うための係合手段を有することを特徴とする請求項１に記載の長円コロ。
【請求項３】
前記係合手段は、前記長円形状の外形を有する長円コロにおける長手方向あるいは短手方向のいずれかの方向位置と関連性をもって配置されていることを特徴とする請求項２に記載の長円コロ。
【請求項４】
前記長円コロは、樹脂材料によって形成されていることを特徴とする請求項１〜３のいずれか１項に記載の長円コロ。
【請求項５】
前記長円コロは、前記リード溝またはカム溝の巾の許容寸法に対して、前記長円形状の外形を有する長円コロにおける短手方向の巾をマイナス寸法に、長手方向の巾をプラス寸法に設定されていることを特徴とする請求項１〜４のいずれか１項に記載の長円コロ。
【請求項６】
カム環等のリード溝またはカム溝を有し、これらのリード溝またはカム溝に対し従動部材としてコロを用いるレンズ鏡筒において、
前記コロを請求項１〜５のいずれか１項に記載の長円コロで構成したことを特徴とするレンズ鏡筒。
【請求項７】
請求項１〜６のいずれか１項に記載のレンズ鏡筒を有することを特徴とする光学機器。
【発明の詳細な説明】
【０００１】
【発明の属する技術分野】
本発明は、リード溝またはカム溝に対し従動部材として用いられるコロ、該コロを用いたレンズ鏡筒、光学機器、等に関するものである。
【０００２】
【従来の技術】
従来、フォーカス調整あるいは変倍のためにレンズ鏡筒内の一部のレンズ群を移動させる場合、レンズ鏡筒のカム環等のリード溝またはカム溝に対し摺動体としてコロを用いることが多く、これらにはリード溝またはカム溝の巾、さらにコロの径にはそれぞれ加工誤差が発生することを考慮し許容寸法値を定めている。その際、リード溝またはカム溝とコロとの間にガタが発生すると光学性能等に影響を及ぼすため、一般的にリード溝またはカム溝巾の許容寸法に対し一定の寸法間隔で用意されているコロを選択的に用いることにより、リード溝またはカム溝巾の加工誤差によるバラツキを吸収し、できるだけリード溝またはカム溝とコロとのガタを少なくするようにしている。
【０００３】
また、従来例において図６に示すようなリード溝またはカム溝をテーパー形状とする構成がある。図６において３０は案内筒であり、移動群３２を作動させるためのテーパー形状をしたリード溝またはカム溝３０ａが設けられており、このテーパー形状をしたリード溝またはカム溝３０ａには、移動群３２に固定保持されたテーパーコロ３３が付勢バネ３５と軸ビス３４により付勢されている。さらに、案内筒３０にはテーパーコロ３３を直進保持しつつ定位置回転をする回転環３１が嵌合保持されており、回転環３１が回転することにより移動群３２は案内筒３０のテーパー形状をしたリード溝またはカム溝３０ａに沿って作動することとなる。このときテーパーコロ３３はテーパー形状をしたリード溝またはカム溝３０ａに対し常に付勢されているため、リード溝またはカム溝３０ａとテーパーコロ３３の間にはガタは発生しない。
【０００４】
【発明が解決しようとする課題】
しかしながら、上記した従来のリード溝またはカム溝に対し段階的に用意されているコロを選択して使用する方法では、最大、コロの寸法間隔分のガタが残存する可能性があり、さらにコロ側の加工寸法公差も存在し加算されるためリード溝またはカム溝とコロとのガタ量は相当量見込む必要があり、光学敏感度の高い光学系においては、やはりガタによる光学性能への影響が大きく問題となっていた。
【０００５】
そのため、上記問題の対応策として、特開平６−２８９２７０号公報、あるいは特開平１１−１１９０７９号公報記載の発明のようにリード溝またはカム溝に対しコロを付勢する構造を採ることでガタを発生させない方法もあるが、この場合には部品点数が増えることによる必要スペースの増加や、コストが大きくなるという問題があった。
【０００６】
さらには、図６に示すようにリード溝またはカム溝をテーパー溝として製作し、これに対応するコロもテーパーコロとして付勢手段によりテーパー形状のリード溝またはカム溝に付勢させる形でガタを発生させない手段においても、テーパー形状を設けるため、さらには付勢手段を配置するために、スペースが必要となり、部品点数が増えるという問題があった。
【０００７】
そこで、本発明は、必要スペースやコストに大きな負荷をかけることなく、リード溝またはカム溝に対し従動部材として用いられるコロとリード溝またはカム溝とのガタ量を高精度に調整することが可能となる長円コロ、及び該長円コロを用いたレンズ鏡筒、光学機器を提供することを目的とするものである。
【０００８】
【課題を解決するための手段】
本発明は、つぎの（１）〜（７）のように構成した長円コロ、及び該長円コロを用いたレンズ鏡筒、光学機器を提供するものである。
（１）リード溝またはカム溝に対し従動部材として用いられる長円形状の外形を有する長円コロであって、
前記長円コロは、該長円コロを保持手段に固定保持するための固定嵌合部と、前記リード溝またはカム溝と嵌合するための摺動嵌合部とを備え、該摺動嵌合部が該固定嵌合部と同一の中心軸を有することを特徴とする長円コロ。
（２）前記長円コロは、回転操作を行うための係合手段を有することを特徴とする上記（１）に記載の長円コロ。
（３）前記係合手段は、前記長円形状の外形を有する長円コロにおける長手方向あるいは短手方向のいずれかの方向位置と関連性をもって配置されていることを特徴とする上記（２）に記載の長円コロ。
（４）前記長円コロは、樹脂材料によって形成されていることを特徴とする
上記（１）〜（３）のいずれかに記載の長円コロ。
（５）前記長円コロは、前記リード溝またはカム溝の巾の許容寸法に対して、前記長円形状の外形を有する長円コロにおける短手方向の巾をマイナス寸法に、長手方向の巾をプラス寸法に設定されていることを特徴とする上記（１）〜（４）のいずれかに記載の長円コロ。
（６）カム環等のリード溝またはカム溝を有し、これらのリード溝またはカム溝に対し従動部材としてコロを用いるレンズ鏡筒において、
前記コロを上記（１）〜（５）のいずれかに記載の長円コロで構成したことを特徴とするレンズ鏡筒。
（７）上記（１）〜（６）のいずれかに記載のレンズ鏡筒を有することを特徴とする光学機器。
【０００９】
【発明の実施の形態】
上記構成を適用して、リード溝またはカム溝に長円コロを挿入しつつ固定嵌合部を利用して保持手段に取り付けた後、長円コロを回転させてリード溝またはカム溝との長円コロの摺動位置を移動させるように構成することで、リード溝またはカム溝に対する長円コロのガタ量を、連続的に調整することが可能となる。
また、前記長円コロに係合手段を設けることにより、長円コロを回転させる際に、該係合手段にマイナスドライバー等を用いて、簡単に長円コロを回転操作することが可能なる。
また、前記係合手段を、長円コロの長円形状の長手方向あるいは短手方向のいずれかの方向位置と関連性をもって配置する構成を採ることにより、長円コロの製作過程において係合手段の回転方向の位置を定められた箇所として、前記短手方向または長手方向の位置を目視でも容易に確認することが可能となる。
また、前記長円コロを樹脂材料による成型手段をもって製作することにより、異形状であっても容易に製作することが可能となる。
また、前記長円コロを、長円の短手方向巾をリード溝またはカム溝巾の許容寸法よりマイナス寸法、長手方向巾をリード溝またはカム溝巾の許容寸法よりプラス寸法に設定することにより、リード溝またはカム溝巾の加工誤差を一種類の長円コロで調整することが可能となる。
また、長円コロをカム環等のリード溝またはカム溝を有するレンズ鏡筒、あるいは光学機器等に用いることにより、長円コロの摺動位置を移動させてガタ量を連続的に調整する事が可能な該長円コロを用いたレンズ鏡筒、光学機器等を提供することができる。
【００１０】
【実施例】
以下に、本発明の実施例について説明する。
［実施例１］
本発明の実施例の構成を、図１、図２を用いて説明する。
図１は本実施例におけるレンズ鏡筒の断面図であり、図２はカムの配置を示した展開図である。図１において、１はカメラと接続するためのバヨネットマウント、２はカメラと接続した際、信号伝達や電力供給を行うための接点端子、３はカメラとの信号伝達や電力供給を受けてレンズ駆動や絞り動作を制御、駆動するための実装回路、４は案内筒、５はマウント１を固定し案内筒４を保持するための固定筒である。６は案内筒４に固定される第１レンズ群、７はフォーカス作動により回転繰り出しされる第２レンズ群、８はやはり案内筒４に固定保持される第３レンズ群、９は案内筒４に固定保持され実装回路３により制御駆動される絞り装置、１０はやはり実装回路３により制御駆動されるフォーカスユニットである。
【００１１】
１５はフォーカスユニットに回転保持され第２レンズ群の長円コロ１６に直進係合されるフォーカスキー、１１は固定筒５とバヨネットマウント１に挟まれる形で保持される外装環、１２はコロ１３により案内筒４に定位置回転保持されフォーカスユニット１０の係合部１１ａに係合し第２レンズ群７を繰り出し動作するためのフォーカス操作環、１４は案内筒４に固定保持されフィルター、フードなどのアクセサリーを取り付けるためのフィルター枠である。案内筒４には図２の展開図で示すとおりリード溝４ａが全周に３箇所設けてあり、このリード溝４ａに第２レンズ群７に取り付け固定保持される長円コロ１６がそれぞれ３箇所に係合し、さらに長円コロ１６の一つは直進溝を有するフォーカスキー１５にも係合されているためフォーカスユニット１０の駆動、あるいはフォーカス操作環１２の操作により第２レンズ群７は回転繰り出しされピント調節を行うことができるようになっている。
【００１２】
図３は案内筒４のリード溝４ａと長円コロ１６の関係を外周方向から示した拡大図であり、図４は部分断面図となっている。ここで、この長円コロは、長円の短手方向巾をリード溝またはカム溝巾の許容寸法よりマイナス寸法、長手方向巾をリード溝またはカム溝巾の許容寸法よりプラス寸法に設定されている。長円コロ１６は長円形状をした摺動嵌合部１６ｂの短手方向をリード溝４ａの巾方向に合わせつつ、固定嵌合部１６ａを第２群鏡筒７のコロ取り付け嵌合部７ａに圧入嵌合した後、ビス１７により取り付けるように構成されている。
【００１３】
この状態で長円コロ１６を回転させるとリード溝巾に対し長円形状の長手方向に向かってリード溝と長円コロの摺動位置が変化し、リード溝４ａと長円コロ１６のガタ量は連続的に減少していくこととなる。回転させる際にマイナスドライバー等の工具を係合させるための係合溝１６ｃは長円形状の長手方向に合わせて設けられているため、長円コロ１６が現在、どの方向に向けて取り付けられているかが目視でも容易に確認できるようになっており、ガタ量が適当となったところでビス１７を締め付け長円コロ１６を固定する。
【００１４】
以上により一種類の長円コロで、リード溝の許容加工誤差を吸収できることとなり、リード溝と長円コロの間にガタの少ない高精度なレンズ鏡筒を実現できることとなる。尚、本実施例では案内筒にリード溝を設け、コロを直接フォーカスキーで作動させることによりフォーカス群を移動させていたが、これはもちろん直進溝を有する案内筒とカム溝を有するカム環により構成しカム環を回転させることによりフォーカス群を移動させても、また移動する群が変倍を目的とするズーム群であっても同様の効果が得られることは言うまでもない。さらには定位置回転をするカム環等の光軸方向をガイドするためのコロとして用いることも有効である。
【００１５】
［実施例２］
図５は実施例１の構成でリード溝がカム溝となっている箇所だけが異なる。カム溝の場合はカムの移動により長円コロとの摺動接触箇所が変化し、つまりはカム溝と長円コロのガタ量が変位することとなるが、カムの回転角に対するリフト量の変位が少ないものであれば本発明をリード溝に用いたことと近い効果を表すこととなる。この場合、当然ながらガタ量の一番少なくなる箇所で長円コロ１６を固定することとなるため、カムの使用位置によっては多少のガタが発生することとなり、これを少なくするためには長円形状の長手方向と短手方向の巾の差の少ない長円コロを段階的に数種用意し選択的に使用するという手段がある。この場合でも通常の真円コロを使用するよりもコロ自体の許容寸法を吸収することが可能である。
【００１６】
【発明の効果】
本発明によれば、必要スペースやコストに大きな負荷をかけることなく、リード溝またはカム溝に対し従動部材として用いられるコロとリード溝またはカム溝とのガタ量を高精度に調整することが可能となる長円コロ、及び該長円コロを用いたレンズ鏡筒、光学機器を実現することができる。
【図面の簡単な説明】
【図１】
本発明の実施例１を説明するためのレンズ鏡筒の断面図。
【図２】
本発明の実施例１を説明するためのレンズ鏡筒のリード溝部の展開図。
【図３】本発明の実施例１を説明するためのレンズ鏡筒の部分拡大図。
【図４】本発明の実施例１を説明するためのレンズ鏡筒の部分断面図。
【図５】本発明の実施例２を説明するためのレンズ鏡筒のカム溝部の展開図。
【図６】従来例におけるテーパーコロを用いたレンズ鏡筒の部分断面図。
【符号の説明】
１：バヨネットマウント
２：接点端子
３：実装回路
４：案内筒
５：固定筒
６：第１レンズ群
７：第２レンズ群
７ａ：コロ取り付け嵌合部
８：第３レンズ群
９：絞り装置
１０：フォーカスユニット
１１ａ：係合部
１１：外装環
１２：フォーカス操作環
１３：コロ
１４：フィルター枠
１５：フォーカスキー
１６：長円コロ
１６ａ：固定嵌合部
１６ｂ：摺動嵌合部
１６ｃ：係合溝
１７：ビス
２４：案内筒
２４ａ：カム溝
３０：案内筒
３０ａ：テーパーカム
３１：回転環
３２：移動群
３３：テーパーコロ
３４：軸ビス
３５：付勢バネ
【図１】
2004045914.tif 000003
【図２】
2004045914.tif 000004
【図３】
2004045914.tif 000005
【図４】
2004045914.tif 000006
【図５】
2004045914.tif 000007
【図６】
2004045914.tif 000008